Podtech/llm-jp-corpus-v4-ja_patent huggingface dataset:
(57)【要約】【課題】各構成部材の着脱が容易で、しかも連結時には各構成部材が回転自在に連結される仕立て用ダミーを提供すること。【解決手段】各構成部材を連結してなる仕立て用ダミーにおいて、第１の構成部材１０の一端に凸状球面部１１を設け、第１の構成部材１０を連結する第２の構成部材２０の連結部に凸状球面部１１を回転自在に連結する凹状球面部２１を設け、凸状球面部１１に磁石を装着し、凹状球面部２１の表面を軟磁性材料で形成した。【選択図】図３
2005323765.tif 000002
【特許請求の範囲】
【請求項１】
各構成部材を連結してなる仕立て用ダミーであって、
第１の構成部材の一端に凸状球面部を設け、第１の構成部材を連結する第２の構成部材の連結部に前記凸状球面部を回転自在に連結する凹状球面部を設け、
前記凸状球面部に磁石を装着し、前記凹状球面部の表面を軟磁性材料で形成した仕立て用ダミー。
【発明の詳細な説明】
【技術分野】
【０００１】
本発明は、洋服類の仕立ての際に使用する人体の体型に似せたマネキンボディとも称せられるドレスダミーやヌードダミーなどの仕立て用ダミーに関し、とくに、そのボディ、腕、脚等の構成部材の連結構造に関する。
【背景技術】
【０００２】
仕立て用ダミーは、ボディ、腕、脚等の構成部材を連結して構成されるのが一般的であり、このような仕立て用ダミーにおいては、洋服類の仕立ての際の立体的な袖の形状等を確認するため、腕や脚は、ボディに対して可動式に連結されている（特許文献１〜３参照）。
【０００３】
このうち、特許文献１には、腕をボディに連結するにあたって、一端に凸状球面部を有する肩関節部を用い、肩関節部の他端をボディに装着するとともに、腕の基端部に設けた凹状球面部を肩関節部の凸状球面部に連結することにより、腕をボディに対して回転自在に連結した仕立て用ダミー（マネキンボディ）が記載されている。
【０００４】
しかし、上記特許文献１に記載の仕立て用ダミーでは、腕をボディに連結するために別部材（肩関節部）を用いており、また、凸状球面部と凹状球面部との連結が外れないように、凸状球面部と凹状球面部とをスプリングによって連結しているため、構造が複雑になるという問題がある。さらに、凸状球面部と凹状球面部とをスプリングによって連結しているため、腕をボディから取り外す必要があるときに、その取り外しが困難であるという問題もある。
【特許文献１】特開２０００−２２５０４６号公報
【特許文献２】特開２００３−０２４１９７号公報
【特許文献３】特開２００３−１１１６５３号公報
【発明の開示】
【発明が解決しようとする課題】
【０００５】
本発明が解決しようとする課題は、各構成部材の着脱が容易で、しかも連結時には各構成部材が回転自在に連結される仕立て用ダミーを提供することにある。
【課題を解決するための手段】
【０００６】
本発明は、各構成部材を連結してなる仕立て用ダミーであって、第１の構成部材の一端に凸状球面部を設け、第１の構成部材を連結する第２の構成部材の連結部に前記凸状球面部を回転自在に連結する凹状球面部を設け、前記凸状球面部に磁石を装着し、前記凹状球面部の表面を軟磁性材料で形成したものである。
【発明の効果】
【０００７】
本発明によれば、凸状球面部と凹状球面部とを連結するのみで各構成部材を連結することができるので、その着脱が容易である。しかも、連結時には各構成部材が回転自在に連結されるので、各構成部材の姿勢を自由自在に設定することができ、洋服類の仕立ての際の立体的な袖の形状等を容易に確認することができる。
【０００８】
さらに、凸状球面部と凹状球面部との間には磁力による吸引力が作用するので、連結後、不用意に外れることもない。
【発明を実施するための最良の形態】
【０００９】
以下、図面に示す実施例に基づき本発明の実施の形態を説明する。
【００１０】
図１は、本発明の仕立て用ダミーの構成部材である腕を示し、（ａ）は正面図、（ｂ）は側面図である。
【００１１】
同図に示すように、腕１０の基端部には、婦人用既成ダミー９号を参考にして直径８．５ｃｍ程度の半球状の凸状球面部１１が形成されており、凸状球面部１１内に磁石１２が埋め込まれている。磁石１２は、少なくとも一箇所において凸状球面部１１の直径方向全長にわたって埋め込まれて、その先端部が凸状球面部１１の表面に露出するようになっている。なお、磁石１２としては。幅１０ｍｍ〜１５ｍｍのものを使用した。
【００１２】
凸状球面部１１は木やプラスチックによって構成でき、腕１０の先端部分は布地に綿状のものをつめて形成することができる。
【００１３】
図２は、 図１の腕を連結する構成部材であるボディを示す斜視図である。
【００１４】
同図に示すように、ボディ２０の腕１０を連結する連結部には、腕１０の凸状球面部１１を回転自在に連結する凹状球面部２１が設けられている。この凹状球面部２１の表面は軟磁性材料で形成されている。具体的には、薄鋼板等の軟磁性材料からなる金属板を凹状球面部２１の表面に貼着する。
【００１５】
図３は、腕をボディに連結した状態を示す正面図である。腕１０とボディ２０の連結は、腕１０の凸状球面部１１をボディ２０の凹状球面部２１に嵌合させることによって簡単に行うことができる。また、その取り外しも簡単に行うことができる。そして、連結時には、凸状球面部１１に埋め込まれた磁石１２と凹状球面部２１表面の軟磁性材料との間に磁力が作用するので、不用意に外れることはない。
【００１６】
上述した腕１０とボディ２０との連結構造は、他の構成部材間にも適用できる。例えば、図３に示すように、上腕１３と前腕１４との連結や、ボディ２０と脚３０との連結に適用できる。
【産業上の利用可能性】
【００１７】
本発明の仕立て用ダミーは、ダレスダミーやヌードダミーとして洋服類の仕立ての際に利用できるほか、既製服を展示するためのいわゆるマネキン人形としても利用可能である。
【図面の簡単な説明】
【００１８】
【図１】本発明の仕立て用ダミーの構成部材である腕を示し、（ａ）は正面図、（ｂ）は側面図である。
【図２】図１の腕を連結する構成部材であるボディを示す斜視図である。
【図３】腕をボディに連結した状態を示す正面図である。
【符号の説明】
【００１９】
１０  腕
１１  凸状球面部
１２  磁石
１３  上腕
１４  前腕
２０  ボディ
２１  凹状球面部
３０  脚
【図１】
2005323765.tif 000003
【図２】
2005323765.tif 000004
【図３】
2005323765.tif 000005
(57)【要約】【課題】  周囲の人目を気にすることなく、本人が希望する練習を抵抗感なく自由に行なうことができる営業用のゴルフ練習施設を提供する。【解決手段】  建屋の内部を壁６によって仕切り、隣の打席からも見えず打席へ入るための通路からも見えない個室形式の打席ブース５を複数設ける。各打席ブース５の内部には、空調が十分に施されており、フォームチェックのためのビデオカメラ１０及びモニター１１が、打席マット８の横に位置して取付けられている。【選択図】  図２
2005323741.tif 000002
【特許請求の範囲】
【請求項１】
隣の打席からも見えず打席へ入るための通路からも見えない個室形式の打席ブースを複数備えたゴルフ練習施設。
【請求項２】
屋内施設である請求項１に記載のゴルフ練習施設。
【発明の詳細な説明】
【技術分野】
【０００１】
本発明は、営業施設としてのゴルフ練習施設に関する。
【背景技術】
【０００２】
娯楽営業施設の一つであるゴルフ練習施設は、屋外タイプと屋内タイプに大別される。打ち放しと呼ばれる屋外タイプでは、比較的広い地所を確保できることから、打席が並ぶ建屋の正面及び両側を高いネットで囲んだものが多い。一方、屋内タイプでは、天井があり、奥行きも僅かであるために、天井もネットで覆い、打席毎に正面のネットに的幕を取り付けたものが多く、隣接する打席の間をネットで仕切る場合も少なくない。
【０００３】
いずれにしても、ゴルフ練習施設での複数の打席に関しては、屋外、屋内を問わず、横に並び、打席に出入りするための通路を背後に受けたレイアウトが通常採用される。
【０００４】
このような現状のゴルフ練習施設では、個々の打席での練習風景を、隣接する打席からも通路からも良く見ることができ、比較的離れた打席からも見ることができる。これは開放的であり、長所でもあるが、その一方では、回りの人の視線が気になるという短所もある。
【０００５】
ゴルフに関しては、技量の差がゴルフコースだけでなく、ゴルフ練習施設でも相当に気になるところであり、その点において、ゴルフ練習施設での周囲の人目は、練習する人によっては相当の心理的負担となり、思うような練習ができない場合が少なくない。
【０００６】
特に近年はゴルフ上達のために、実に様々な練習器具が開発されており、成果を上げるためには、その器具を使って打席で実際に球を打つことが推奨されるところ、現状のゴルフ練習施設では、回りの人目が気になって、器具を使うことには相当の抵抗感が付きまとうことになる。その結果、殆どの場合、家庭での素振りで器具を使う程度にとどまり、ゴルフ練習施設で実際に球を打つまでには至らないのが現状である。
【０００７】
つまり、現状のゴルフ練習施設では、各打席の開放性が逆に災いになることも少ないないのである。
【０００８】
なお、自宅でゴルフの練習を行なうための室内ゴルフ練習設備は特許文献１により提示されているが、営業施設としてのゴルフ練習施設ではない。
【０００９】
【特許文献１】特開２００２−０６５９２５号公報
【発明の開示】
【発明が解決しようとする課題】
【００１０】
本発明はこのような事情を考慮してなされたものであり、周囲の人目を気にすることなく、本人が希望する練習を抵抗感なく自由に行なうことができる営業用のゴルフ練習施設を提供することにある。
【課題を解決するための手段】
【００１１】
上記目的を達成するために、本発明のゴルフ練習施設は、隣の打席からも見えず打席へ入るための通路からも見えない個室形式の打席ブースを複数備えている。
【００１２】
このような個室形式の打席ブースでは、他人から完全に隔離されて球を打つことができるので、自分の技量はもとより、特殊な練習器具の使用も特殊な練習法も、全く気兼ねすることなく、自分の思い通り自由に実行することができる。
【００１３】
各打席ブースは正面側には開放するので、構造上は屋内タイプでも屋外タイプでも適用可能であるが、開放的な屋外タイプを個室とするよりも、閉鎖的な屋内タイプを個室とする方が合理的である。即ち、個室の場合、空調が重要な要素になるが、個室の方が空調等も容易である。また近時の不況のおり、空き倉庫なども多く、それらを利用することにより、比較的に安価に屋内タイプの娯楽商業施設として開設できる。
【発明の効果】
【００１４】
本発明のゴルフ練習施設は、隣の打席からも見えず打席へ入るための通路からも見えない個室形式の打席ブースを複数備えたことにより、周囲の人目を気にすることなく、本人が希望する練習を抵抗感なく自由に行なうことができ、利用価値、実利的価値の大きい商業施設となる。
【発明を実施するための最良の形態】
【００１５】
以下に本発明の実施形態を図面に基づいて説明する。図１は本発明の一実施形態を示すゴルフ練習施設のレイアウト図、図２は各打席の内部を示す斜視図である。
【００１６】
本実施形態のゴルフ練習施設は、例えば空き倉庫を活用・改装した屋内タイプの練習施設である。建屋の出入口１を入ったところにロビー２がある。ロビー２は申込み・支払等を行なうためのカウンタ３を一角に備えており、中央の通路４に続いている。そして通路４の両側には、複数の個室形式の打席ブース５，５・・が通路４に沿って配置されている。
【００１７】
各打席ブース５は、ロビー２及び通路４などの共用スペースから隔離された個室になるように、隣接する打席ブース５との間、通路４との間などが壁６によって仕切られており、唯一ドア７を通って出入りすることができる。これにより、隣の打席５からはもとより、ロビー２及び通路４などの共用スペースからも、各打席５ブースの内部を覗き見ることは不可能である。
【００１８】
各打席ブース５の内部は、実際に球を打てるのに十分なスペースを確保しており、例えば幅２．８ｍ以上、奥行き５ｍ以上、高さ３ｍ以上である。ドア７を入ったところには、一般のゴルフ練習施設と同様に、使用者が立つ打席マット８が敷かれると共に、球の供給装置が設置されている。床には打球の跳ね返りを抑えるマットが敷かれ、正面側、両側の壁面、及び天井面には、壁面及び天井面から少し離れて防護ネット９が張られている。
【００１９】
使用者が立つ打席マット８の横の壁面には、ビデオカメラ１０及びモニター１１が取付けられている。使用者はこれらを自由に操作でき、これにより自分のフォームを撮影してチェックすることができる。打席マット８の後ろにはベンチ１２がある。
【００２０】
各打席ブース５の内部には、空調が十分に施されている。１つの打席ブース５を複数の人で使用することも可能である。
【００２１】
料金体系としては、通常のゴルフ練習施設と同様に球代を支払い、これとは別に、室料を時間単位で支払うというのが妥当であろう。
【図面の簡単な説明】
【００２２】
【図１】本発明の一実施形態を示すゴルフ練習施設のレイアウト図である。
【図２】各打席の内部を示す斜視図である。
【符号の説明】
【００２３】
１  出入口
２  ロビー
３  カウンタ
４  通路
５  打席ブース
６  壁
７  ドア
８  打席マット
９  防護ネット
１０  ビデオカメラ
１１  モニター
１２  ベンチ
【図１】
2005323741.tif 000003
【図２】
2005323741.tif 000004
(57)【要約】【課題】  ミストの相変化（液体から気体へ）による「蒸発の潜熱による冷却効果」「水蒸気による空気中の酸素濃度低下効果」「ミストが水蒸気になることで体積膨張が起こり上方への流れが加速される」ことで火炎が油面から引き伸ばされ、酸素濃度低下と相まって、火炎の付着ができなくなり消火が迅速に行われると共に、結果的には少量の水での消火が可能になるプール火災の消火方法を得る。【解決手段】  放出したウオーターミストがプール火災の火炎基部ａに生じる空気流に乗って火炎内部に到達することにより消火する。【選択図】    図２
2005323794.tif 000002
【特許請求の範囲】
【請求項１】
放出したウオーターミストがプール火災の火炎基部に生じる空気流に乗って火炎内部に到達することにより、消火することを特徴とするプール火災の消火方法。
【発明の詳細な説明】
【技術分野】
【０００１】
本発明は、油等のプール火災をウオーターミストで消火する方法に関するものである。
【背景技術】
【０００２】
従来、ウオーターミスト（水噴霧）でプール火災を消火する方法としては、一般的に図７に示すようにして行われている。かかる消火方法では、油槽（焼き入れ槽など）１に対してその上方の配管２に配備されるノズル３からウオーターミストを放出している。
【発明の開示】
【発明が解決しようとする課題】
【０００３】
解決しようとする問題は、前記した従来のウオーターミストによる消火方法ではウオーターミストを火炎の上方から下方に向かって放出しているので、ウオーターミスト（消火剤の水）が火炎に巻き上げられてしまって火炎の基部まで到達できず、消火が困難であるばかりか，そのために多量の水を放出しなければならないという点である。
【課題を解決するための手段】
【０００４】
本発明は、放出したウオーターミストがプール火災の火炎基部に生じる空気流に乗って火炎内部に到達することにより、消火することを特徴とする。
【発明の効果】
【０００５】
本発明は、放出したウオーターミストがプール火災の火炎基部に生じる空気流に乗って火炎内部に到達することにより、ミストの相変化（液体から気体へ）による「蒸発の潜熱による冷却効果」「水蒸気による空気中の酸素濃度低下効果」「ミストが水蒸気になることで体積膨張が起こり上方への流れが加速される」ことで火炎が油面から引き伸ばされ、酸素濃度低下と相まって、火炎の付着ができなくなり消火が迅速に行われると共に、結果的には少量の水での消火が可能になるという効果がある。
【発明を実施するための最良の形態】
【０００６】
放出したウオーターミストがプール火災の火炎基部に生じる空気流に乗って火炎内部に到達することにより実現した。
【実施例１】
【０００７】
本発明の一実施例を図１，図２について説明する。図１はノズル３を油槽１の側方に配置するタイプの全体構成を概略的に示す図、図２は図１の火炎状況を拡大して示す図であり、図中前記した従来のものと同一または相当部分には同一符号を付して説明を省略する。図において、４はノズル３が下部に配備される部屋で、その配管２は外部で水タンク５及び不活性ガスタンク６に接続されている。
【０００８】
このように油槽１の側方においてノズル３から放出されるウオーターミストは、油槽１の近傍において火炎基部ａに生じる空気流（矢印で示す）に乗って火炎内部に到達するので、ミストの相変化（液体から気体へ）による「蒸発の潜熱による冷却効果」「水蒸気による空気中の酸素濃度低下効果」「ミストが水蒸気になることで体積膨張が起こり上方への流れが加速される」ことで火炎が油面から引き伸ばされ、酸素濃度低下と相まって、火炎の付着ができなくなり消火する。
【０００９】
なお、部屋４においては、放出されたウオーターミストが部屋４の床面上（限られた空間）に積み上げられるかたちとなるので、ノズル３の数やその配置等は多種のものが選択実施できる。
【実施例２】
【００１０】
本発明の他の実施例を図３，図４について説明する。図３はノズル３を部屋４の床面下に配置するタイプの全体構成を概略的に示す図、図４は図３の変形例を示す図であり、図中前記した実施例１と同一または相当部分には同一符号を付して説明を省略する。図において、７は部屋４の床面に設けた凹所で、スリットのある蓋８でノズル３を床面下に閉じ込めている。９は凹所７に設けた浮き上がり蓋である。
【００１１】
ノズル３から放出されたウオーターミストは、各図中点線で示すようにそれぞれ凹所７内で放出された後凹所７から部屋４内に出る。そして、部屋４に出たウオーターミストが、その後油槽１の近傍において火炎基部に生じる空気流に乗って火炎内部に到達して消火することは、前記した実施例１と同じである。
【実施例３】
【００１２】
本発明の他の実施例を図５について説明する。図５はノズル３を部屋４の上部に配置するタイプの全体構成を概略的に示す図であり、図中前記した実施例１と同一または相当部分には同一符号を付して説明を省略する。
【００１３】
本実施例のノズル３はウオーターミストを部屋４の壁面に向けて放出するので、放出されたウオーターミストは図中点線で示すように壁面に沿って流下した後，床面を這い、そして油槽１の近傍において火炎基部に生じる空気流に乗って火炎内部に到達して消火することは、前記した実施例１と同じである。
【実施例４】
【００１４】
以上の各実施例１〜３では油槽１が限られた空間（部屋４内）にある場合について示したが、本実施例では大空間（広い部屋）に油槽１がある場合について図６を用いて説明する。図に示すようにノズル３は油槽１の周囲下方に上向きに配置しておく。
【００１５】
こうすることによってノズル３から放出されたウオーターミストは、図中点線で示すように火炎基部に生じる空気流に直に乗るので、後は火炎内部に到達して消火することは、前記した実施例１と同じである。
【産業上の利用可能性】
【００１６】
本発明は、ウオーターミストで油等のプール火災を消火する場合に広く活用できる。
【図面の簡単な説明】
【００１７】
【図１】本発明の実施例１を示すもので、ノズルを油槽の側方に配置するタイプの全体構成を概略的に示す図である。
【図２】図１の火炎状況を拡大して示す図である。
【図３】本発明の実施例２を示すもので、ノズルを部屋の床面下に配置するタイプの全体構成を概略的に示す図である。
【図４】図３の変形例を示す図である。
【図５】本発明の実施例３を示すもので、ノズルを部屋の上部に配置するタイプの全体構成を概略的に示す図である。
【図６】本発明の実施例４を示す図である。
【図７】従来の消火方法を概略的に示す図である。
【符号の説明】
【００１８】
１：油槽
２：配管
３：ノズル
４：部屋
５：水タンク
６：不活性ガスタンク
７：凹所
８：スリットのある蓋
９：浮き上がり蓋
ａ：火炎基部
【図１】
2005323794.tif 000003
【図２】
2005323794.tif 000004
【図３】
2005323794.tif 000005
【図４】
2005323794.tif 000006
【図５】
2005323794.tif 000007
【図６】
2005323794.tif 000008
【図７】
2005323794.tif 000009
(57)【要約】【課題】  サージ移行率を１/１０００以下とすることができる耐雷電源盤を提供する。【解決手段】  通信装置、放送装置、ＣＡＴＶ装置などの各種の負荷機器に電源を供給するために用いられる耐雷電源盤に関するものであり、同一キャビネット８内に、引込ブレーカ４と耐雷トランス２とを収納し、この耐雷トランス２の二次側に静電容量器１０を接続する。静電容量器１０は静電容量を調整可能な機器であることが好ましい。耐雷トランス２の一次側と二次側の静電容量のバランスを取ることにより、耐雷電源盤としてのサージ移行率を従来よりも大幅に小さくすることが可能となる。【選択図】    図１
2005323448.tif 000002
【特許請求の範囲】
【請求項１】
負荷機器に電源を供給する耐雷電源盤であって、同一キャビネット内に引込ブレーカと耐雷トランスとを収納し、この耐雷トランスの二次側に静電容量器を接続したことを特徴とする耐雷電源盤。
【請求項２】
静電容量器が、静電容量を調整可能な機器であることを特徴とする請求項１記載の耐雷電源盤。
【発明の詳細な説明】
【技術分野】
【０００１】
本発明は、通信装置、放送装置、ＣＡＴＶ装置などの各種の負荷機器に電源を供給するために用いられる耐雷電源盤に関するものである。
【背景技術】
【０００２】
上記のような通信装置、放送装置、ＣＡＴＶ装置などの各種の負荷機器に電源を供給するために、従来から電源盤が用いられている。これらの負荷機器には電源を常時供給することが求められるため、特許文献１には雷サージ等によって引込ブレーカがトリップ状態となったときに、再度自動投入動作を行う機能を備えた電源盤が示されている。
【０００３】
さらに、電源盤に耐雷トランスを接続して雷サージの影響を抑えるようにしたものも用いられている。図２はそのような従来の耐雷トランスを接続した電源盤を示す図であり、１は電柱からの配線が引き込まれる引込盤、２は耐雷トランス、３は負荷機器である。引込盤１はキャビネット５の内部に引込ブレーカ４を収納したものであり、電柱からの配線は先ずこの引込盤１に引き込まれる。このような電源盤の設置場所が無人の場合などには、雷サージによって引込ブレーカ４が動作した際に自動復帰させるための自動投入装置が組み込まれている。
【０００４】
耐雷トランス２は引込盤１とは別のキャビネット６に収納されており、設置現場の状況により様々であるが、多くの場合には引込盤１から離れた負荷機器３の近傍に設置されている。
【０００５】
このような耐雷トランス２の耐雷性能は、主に絶縁耐力とサージ移行率とによって決まる。サージ移行率は耐雷トランス２の一次側にサージ電圧Ｖ１を印加して二次側に現れる電圧Ｖ２を測定し、Ｖ２/Ｖ１の比を求めた値である。このサージ移行率は耐雷トランス２の一次巻線と対地間、二次巻線と対地間の静電容量の大きさで決まるものであり、一般的に耐雷トランス２については１/１０００以下であることが求められる。
【０００６】
このため耐雷トランス２は、単体ではサージ移行率が１/１０００以下になるように設計されている。しかし実際には引込ブレーカ４から耐雷トランス２までの電線７が長くなるため、引込ブレーカ４から耐雷トランス２の一次側の浮遊静電容量が増加し、耐雷トランス２の一次側に機器を取り付けるとさらに浮遊静電容量が増加する。このため、従来はサージ移行率が悪い場合があった。
【特許文献１】特開２００１−３５２９５号公報
【発明の開示】
【発明が解決しようとする課題】
【０００７】
本発明は上記した従来の問題点を解決し、雷サージを受けた場合の二次側へのサージ移行率を大幅に小さくすることができる耐雷電源盤を提供するためになされたものである。
【課題を解決するための手段】
【０００８】
上記の課題を解決するためになされた本発明の耐雷電源盤は、負荷機器に電源を供給する耐雷電源盤であって、同一キャビネット内に引込ブレーカと耐雷トランスとを収納し、この耐雷トランスの二次側に静電容量器を接続したことを特徴とするものである。なお、静電容量器が静電容量を調整可能な機器であることが好ましい。
【発明の効果】
【０００９】
本発明の耐雷電源盤は、同一キャビネット内に引込ブレーカと耐雷トランスとを収納したことにより耐雷トランスの一次側の浮遊静電容量が小さくなるうえ、この耐雷トランスの二次側に静電容量器を接続したので、一次側と二次側の静電容量のバランスを取ることができる。このため耐雷電源盤としてのサージ移行率を、従来よりも大幅に小さくすることができる。
【発明を実施するための最良の形態】
【００１０】
以下に本発明の好ましい実施形態を示す。
図１に示すように、本発明の耐雷電源盤は同一のキャビネット８の内部に、引込ブレーカ４と耐雷トランス２とを収納したものであり、耐雷トランス２の二次側に負荷機器３が接続される。引込ブレーカ４及び耐雷トランス２自体は従来品と同様のものであり、必要に応じて自動投入装置が組み込まれる。
【００１１】
このように本発明の耐雷電源盤は同一キャビネット８の内に引込ブレーカ４と耐雷トランス２とを収納したので、引込ブレーカ４から耐雷トランス２までの電線９が短く、かつ一定長さとなる。このため耐雷トランス２の一次側の浮遊静電容量を一定化することができる。
【００１２】
しかも本発明の耐雷電源盤では、耐雷トランス２の二次側に一次側の浮遊静電容量に対応し得る必要量以上の静電容量器１０が接続されている。静電容量器１０の容量は固定であってもよいが、一次側の浮遊静電容量とのバランスをより確実に取ることができるように、容量調整可能な静電バランサを用いることが好ましい。このように静電容量器１０を取付け、耐雷トランス２の一次側と二次側の静電容量のバランスを取ることにより、耐雷電源盤としてのサージ移行率を従来よりも大幅に小さくすることが可能となる。
【図面の簡単な説明】
【００１３】
【図１】本発明の実施形態を示す回路図である。
【図２】従来の耐雷電源盤を示す回路図である。
【符号の説明】
【００１４】
１  引込盤
２  耐雷トランス
３  負荷機器
４  引込ブレーカ
５  キャビネット
６  キャビネット
７  電線
８  キャビネット
９  電線
１０  静電容量器
【図１】
2005323448.tif 000003
【図２】
2005323448.tif 000004
(57)【要約】【課題】本発明は、長い間植物が植えられている鉢やプランターに使用されている古い土壌と、新しい培養土を入れ替える為の物である。通常は一度土壌をすべて鉢やプランターから抜き取ってから、植え替えるという作業が行われてきたが、本発明を使用すれば、簡単且つ簡易に従来の植え替えとほぼ同等の作業ができる。【手段】刺し込み部（１）より土壌に打ち込み、筒の内部に入った土壌を抜き取り、穴のあいた部分に新しい培養土を入れる。【選択図】図１
2005323578.tif 000002
【特許請求の範囲】
【請求項１】
土に挿して土壌を抜き取る為の筒状の物
【請求項２】
【発明の詳細な説明】
【発明の詳細な説明】
【技術分野】
【０００１】  この発明は鉢やプランターに植物が植えられた状態から、簡単且つ簡易に植え替えができ、植物の生育状況も良好になるというものである。
【背景技術】
【０００２】  従来、鉢やプランターに植えられている植物（特に観葉植物や、多年生植物）は１年及び２〜３年に一度植え替えが行われているが、その際、鉢やプランターから一度土壌をすべて抜き取りそこについている土を取り去り、新たに培養土で植え直すという作業が行われていた。
【発明が解決しようとする課題】
【０００３】  鉢やプランターに植えられている植物を植え替える場合、次のような問題点があった。まず、全体的に手間と時間がかかる事、鉢が大きくなればなる程、鉢から土壌を抜き取る作業が大変なこと（重さや体積の問題から）、鉢から取り去った土壌が多ければ多いほど集合住宅等ではその処分に困ること、である。
本発明は、以上の問題点を解決し、簡単及び簡易に植え替えが可能になる為の道具である。
【課題を解決するための手段】
【０００４】  土に挿して土壌を抜き取る為の筒状の物。（１）土壌に刺さりやすいように角度をつけ鋭利に加工された差し込み部（２）硬い土壌に差し込む場合に木槌等を利用して打ち込む為にやや厚めに、尚且つ丈夫に加工された上部（３）抜き取った土壌が筒状のものから取れやすくする為のある程度の角度（４）下部よりは半径が大きい上部（５）上部よりは半径が小さい下部（６）硬い土壌にも対応できるだけのある程度の厚さ（７）土壌を抜き取る為の最適の摩擦係数を持った内側。
本発明は、以上の構成よりなる筒状のものである。
【発明を実施するための最良の形態】
【０００５】  以下、本発明の実施の形態を説明する。
（イ）硬質プラスチックや硬い樹脂等で〔図１〕の様な筒状の物を作る。
（ロ）その際、（３）の様にある程度の角度をつける。
（ハ）（２）硬い土壌に刺す場合に木槌等を利用して打ち込む為にやや厚めに、尚且つ丈夫に加工する。
（ニ）（６）硬い土壌にも対応できる様にある程度の厚さを保つ。
（ホ）（７）土壌をうまく抜き取る為の最適の摩擦係数を持った内側。（８）土壌に刺さりやすくする為の最適の摩擦係数を持った外側。
（ヘ）（１）下部も土壌に刺さりやすい様にある程度の角度をつけ鋭利にしておく。
（ト）（９）さまざまな大きさの鉢やプランターに対応できるように、何種類かの長さと大きさの物を作る。
本発明は以上の構成からなるので本発明を使用するときは、
（チ）〔図４〕の様に、茎や株にあたらないように土壌に打ち込み土壌を抜き取る。（うまく抜き取ることができないようであれば柄の長いスプーン状のようなものを使い、土壌に刺さっている状態で土をすくい取る）（１０）は植物。（１１）は鉢。
（リ）穴があいた部分に、新しい培養土を入れる。〔図５〕は上から見た図であるが、この様に何ヵ所かあけると良い。
（ヌ）植えられて間もない鉢やプランターは、まだ土壌がやわらかくうまく抜き取ることができないので、ある程度植えられてから年月のたった硬い土壌で使用すると良い。
（ル）植物は長い間同じ鉢やプランターに植えられていると根詰まりを起こし生育が悪くなってくる。そこで本発明を使用し少しでも土壌を入れ替えると、通気性や水の浸透性がよくなり植物の生育が良好になる。何年かかけ何度か同じ作業を繰り返すと完全に植え替えた時とほぼ同じ効果が期待できる。
【発明の効果】
【０００６】  簡単そして短時間に鉢やプランターの古い土壌を新しい培養土に交換することができて、植物の生育を良好にすることができる。
【図面の簡単な説明】
【図１】本発明の正面図
【図２】本発明の上から見た図
【図３】本発明の下から見た図
【図４】本発明を使用している場面の正面図
【図５】本発明を使用している場面の上からみた図
【符号の説明】
（１）刺し込み部、（２）打ち込み部、（３）ある程度の角度、（４）上部、（５）下部、（６）厚さ、（７）内側、（８）外側、（９）長さ、（１０）植物、（１１）鉢、（１２）本発明
【図１】
2005323578.tif 000003
【図２】
2005323578.tif 000004
【図３】
2005323578.tif 000005
【図４】
2005323578.tif 000006
【図５】
2005323578.tif 000007
(57)【要約】【課題】  ペットが食事中、食器が容易に移動しない反面、飼い主が掃除したり、餌を用意するのに楽な食事用外枠を提供する。又、インテリアとしても通用する置物として、考慮されている。【解決手段】  市販の器がスッポリ入るだけの穴をあけた外枠と、食器との接触部分に滑り止めを取り付けて、ペットの力では簡単に外れないようにする。又、人間の指１本が入る溝を彫る事によって、飼い主が必要な時には楽に取り出す事が出来る。又、インテリアとしては、外枠に大理石、陶器、木材等が提供できる。【選択図】  図２
2005323575.tif 000002
【特許請求の範囲】
【請求項１】
ペットが食事中等に食器が容易に移動、又はずれない外枠を提供すること。
【請求項２】
飼い主が食器を楽に取り外し出来る外枠を提供すること。
【請求項３】
室内・室外を問わずに、インテリアとしても通用する外枠を提供すること。
【発明の詳細な説明】
【発明の詳細な説明】
【技術分野】
【０００１】  取り外し可能な食器がセット時にはペットには容易に外れずしかし、人間が必要とする時には、簡単に外れる外枠に関するものである。
【背景技術】
【０００２】  器全体を重くするか、食器の底に滑り止めを使用した。【０００３】  例えば公開特許広報２００２−３０６００８号には、食器の下にマットを敷き、滑り止め加工を施しているが大型のペットには効果は期待できない。
【発明が解決しようとする課題】
【０００４】  食器自体が重いと、食事の取替えや、掃除が容易に出来ず、又、軽い食器の底の滑り止めだけでは、接する床や地面の状況で効果が出ないという問題がある。
【課題を解決するための手段】
【０００５】  本発明は、市販されている食器に合うような穴をくり抜いた外枠を作成し、食器との接合部分にクッション材を貼り付けることにより、食器がずれたり、外れたりする事がなくなる。又、外枠に人間の指が１本入る位の溝を付ける事により、必要な時には簡単に取り外す事が出来る。
【発明を実施するための最良の形態】
【０００６】  本発明のペット用食器は図１の様に適度な重みがあり、又、高級感あるふれる外枠により、インテリアとして十分耐えうる品物となる。又、図２にある様に、１の食器と２の外枠の接合部分を４のクッション材でしっかり固定する事で容易に外れなくなる。又、３の溝の部分から指を差し入れて、１の食器を人間が簡単に取り外せる。
【発明の効果】
【０００７】  以上のように請求項１記載の発明によればペットも落ち着いて一箇所で食事が出来る。また請求項２記載の発明によれば、汚れた食器だけを楽に洗ったり、餌を別の場所で用意してからセットが出来る。また請求項３の発明によれば鑑賞にたえる置物となる。
【図面の簡単な説明】
【図１】  本発明に係わるペット用食器の外観図である。
【図２】  ペット用食器と外枠の断面図である。
【図１】
2005323575.tif 000003
【図２】
2005323575.tif 000004
(57)【要約】【課題】犬の散歩の時に犬がフンをしようとしたとき、かがまずに、また、犬のフンが地面に落ちる前にキャッチしフタをして持ち帰るための、犬のフンをキャッチする道具を提供する。【解決手段】柄の先端に付けたワクに網袋の底部周辺をゴム引きにした網袋を設ける。網袋の開口部にフタを装着し、網袋部分を上下に振ることによって支点を介してフタを半回転させて開閉し、かがまずに犬のフンをキャッチして持ち帰る。以上を特徴とする犬のフンをキャッチする道具。【選択図】図１
2005323577.tif 000002
【特許請求の範囲】
【請求項１】
柄の先端に付けたワクに網袋を設け、網袋の開口部にフタを装着し、網袋部分を上下に振ることによって支点を介してフタを半回転させ、フタを自在に開閉させることができ、かがまずに犬のフンをキャッチすることができることを特徴とする犬のフンをキャッチする道具。
【請求項２】
網袋は、網袋の底部周辺をゴム引きとした請求項１の犬のフンをキャッチする道具。
【発明の詳細な説明】
【技術分野】
【０００１】  本発明は、犬の散歩の時に犬がフンをしようとしたとき、かがまずに、また、フンが地面に落ちる前にキャッチし、フタをしてそのままフンを持ち帰ることのできる犬のフンをキャッチする道具に関するものである。【０００２】  従来、犬の散歩時のフンの処理は、放置したり地面に穴を掘って埋めたり、又は、紙を利用して包んで持ち帰ったりしていた。
【発明の開示】
【発明が解決しようとする課題】
【０００３】  そのために、次のような問題点があった。
（イ）犬のフンの放置や地面に穴を掘っての処理においては、マナーの問題としてとか      くトラブルの原因となっている。
（ロ）紙に包んで持ち帰る場合においては、紙を出すタイミングや置く位置にずれが生      じたりする。また、地面に落ちたフンを紙を利用してつかみ取る感触はいいもので      はなく、下痢のときなとの処理には苦労するものである。
本発明は、以上の問題点を解決するためになされたものである。
【課題を解決するための手段】
【０００４】  柄の先端に付けたワクに、網袋の底部周辺をゴム引きにした網袋を設ける。網袋の開口部にフタを装着し、網袋部分を上下に振ることによって支点を介してフタを半回転させて開閉し、かがまずに犬のフンをキャッチして持ち帰る。以上を特徴とする犬のフンをキャッチする道具である。
【発明の効果】
【０００５】  犬の散歩の時に犬がフンをしようとしたとき、網袋の開口部のフタは網袋部分を上下に振ることによって手で触ることなく素早く開閉することができる。また、柄があることによって、かがむことなく犬のお尻の下に網袋を持って行くことができるため、犬のフンを地面に落とすことなくキャッチすることができる。さらに、網袋底部周辺のゴム引きにより下痢のときも安心して対応することができる。キャッチされた犬のフンは、細目の網袋とフタのために目立たず臭わず人目を気にすることなく持ち帰って来ることができ、衛生的でありマナーの向上にもつながる。
【発明を実施するための最良の形態】
【０００６】  以下、本発明の実施の形態について説明する。
（イ）細かい網目からなる網袋の底部周辺部をゴム引きにした網袋（１）の開口部にワ      ク（２）を設ける。
（ロ）ワク（２）に、取り付け穴（３）を設けたフタ（４）をリング（５）で取り付け      、ワクを柄（６）の先端に固定する。
本発明は、以上の構成よりなっている。
本発明を使用するときは、犬がフンをしようとしたとき、柄（６）を持った状態で柄（６）の先端の網袋（１）の部分を上に振り上げることによってフタ（４）を開き、フンをしようとしている犬のお尻（８）のところへ網袋（１）の開口部を持って行きフンが地面に落ちる前にキャッチする。フンをキャッチし終わった後に、柄（６）の先端の網袋（１）の部分を下に振り下げることによってフタ（４）を閉じる。この結果、かがむことなく犬のフンをキャッチすることができ、犬のフンは見えなくなると共に臭を防ぐことができるため、人の目を気にすることもなく衛生的に持ち帰って処理することができる。
【図面の簡単な説明】
【０００７】
【図１】本発明の斜視図
【図２】本発明の使用状態を示す側面図
【符号の説明】
【０００８】    １  網袋
２  ワク
３  取り付け穴
４  フタ
５  リング
６  柄
７  網袋のゴム引き部分
８  犬のお尻
９  手
【図１】
2005323577.tif 000003
【図２】
2005323577.tif 000004
(57)【要約】【課題】嚥下機能障害患者等に対する嚥下促進機能及び口腔清浄機能を有する嚥下機能向上訓練用食品の提供を目的とする。【解決手段】本発明に係る嚥下機能向上訓練用食品は、キシリトールが含まれる所定量の水を凍結したことを特徴とする。  また、キシリトールとともにゼラチンを配合すると、アイス形態付与を容易にし、口ざわり感が良くなる。【選択図】  なし【特許請求の範囲】
【請求項１】
キシリトールが含まれる所定量の水を凍結したことを特徴とする嚥下機能向上訓練用食品。
【請求項２】
キシリトールとともにゼラチンが含まれていることを特徴とする請求項１記載の嚥下機能向上訓練用食品。
【請求項３】
凍結して使用するための、少なくともキシリトールが含まれる所定量の水をパッケージしたことを特徴とする嚥下機能向上訓練用食品。
【発明の詳細な説明】
【技術分野】
【０００１】
本発明は、嚥下機能障害患者等に対する嚥下促進機能及び口腔清浄機能を有する嚥下機能向上訓練用食品に関する。
【背景技術】
【０００２】
近年疾病の重症化や高齢化社会の到来により、口で物を食べられない患者、すなわち嚥下障害の患者が増加している。
嚥下傷害の患者に安易に食物を摂取させると、窒息嚥下性肺炎となる危険性があることから、医療者側としては軽度でも嚥下障害を認めた場合には経管栄養、高カロリー輸液に頼らざるを得なくなる。
よって、それに伴い嚥下機能の廃用症候群がおこり経口摂取が全く出来なくなる症例が多く見られる。
嚥下機能向上のためのリハビリテーションとしては、直接食物は摂取せずに口腔、咽頭、喉頭等の機能訓練を行う間接訓練と、直接食物を摂取させ機能訓練する直接訓練がある。
間接訓練は食物を用いないことから、誤嚥のリスクはすくないが、効果のある訓練法は未だ確立されていない。
一方、直接訓練は効果的な訓練法であるが、誤嚥した場合は、口腔細菌を含んだ食物により嚥下性肺炎を引き起こす可能性が高いという問題があった。
そこで、割り箸等の棒状体の先端に綿等を取付て水を染みこませ、凍らせたいわゆるアイス棒による寒冷刺激方法が報告されている。
しかし、アイス棒では訓練に手間がかかるだけでなく、静菌作用にも問題が残る。
そのため誤嚥しても異物にならず、かつ静菌作用を有する直接訓練用食物が期待されている。
【発明の開示】
【発明が解決しようとする課題】
【０００３】
本願発明者は、キシリトールが肺炎球菌等の呼吸器病原菌にたいして静菌作用があり、摂取により小児の中耳炎発生抑制に効果があったことが報告されていることに鑑みてキシリトールの効果を確認したところ、キシリトールが口腔の総細菌数を減少させ、グラム陰性桿菌、Candida族、ＭＲＳＡ（Methicillin-resistant  Staphylococcus  aureus）などの病原細菌を減少させることを確認した。
そして、キシリトールは食品添加物として安全性が確立され、輸液剤にも含まれていることから誤嚥した場合の組織傷害性は低度である。
また、キシリトールは吸熱反応性があり、口の中で爽やかな清涼感が得られることから、本願発明者は、キシリトールを含み、アイスマッサージ効果を有する直接訓練用食物を検討した結果本発明に至ったものである。
よって、本発明は、嚥下機能障害患者等に対する嚥下促進機能及び口腔清浄機能を有する嚥下機能向上訓練用食品の提供を目的とする。
【課題を解決するための手段】
【０００４】
本発明に係る嚥下機能向上訓練用食品は、キシリトールが含まれる所定量の水を凍結したことを特徴とする。
また、キシリトールとともにゼラチンを配合すると、アイス形態付与を容易にし、口ざわり感が良くなる。
キシリトールの割合は口腔内におけるキシリトールの濃度を５％以上とする趣旨から望ましくは濃度１０〜５０％程度とする（以下、％は全て、質量％を意味する）。
ゼラチンは、嚥下促進機能に直接影響を与えないが、上記アイス形態付与を容易にし、口ざわり感を良くする目的からは、１〜１０％程度がよい。
なお、ここで、キシリトールが含まれる所定量の水としたのは、少なくともキシリトールが配合された水との趣旨である。即ち、誤嚥した場合の組織傷害性に大きな影響を与えない範囲で他の成分が含まれても良い。
訓練時に使用しやすく、特に家庭的にも訓練しやすくするためには、凍結して使用するための、少なくともキシリトールが含まれる所定量の水をパッケージ化するのがよい。
このように、予め、キシリトールを、あるいは必要に応じてゼラチンとともに所定量配合した水をパッケージ化しておくと、嚥下機能向上訓練を行う際には冷凍庫等にてパッケージ毎凍結するだけで使用できる。
従って、このパッケージは一食分（一口サイズ）単位になるように容量約２０ｍｌ程度が好ましい。
なお、容量約２０ｍｌとは、パッケージの大きさの例を挙げたものであり、一口サイズに分割できるようにして、一度に多数人分を凍結できるようにしても良い。
また、パッケージの材料はキシリトールを配合した水を密封できれば良く、特に限定されない。
キシリトールを配合した氷は、甘味感と清涼感があることから患者が好みやすくなるだけでなく、誤嚥による肺炎のおそれがなく、口腔の自浄性も有る。
従って、本願発明に係る嚥下機能向上訓練用食品は口腔清浄用食品としても用いることが出来る。
【発明の効果】
【０００５】
本発明に係る嚥下機能向上訓練用食品は、氷にキシリトールを配合していることから、嚥下機能の廃用症候群などの嚥下障害の患者に対しての嚥下機能向上のためのリハビリテーション用に直接訓練用の食物として用いた場合に、誤嚥しても異物になることはない。
加えて、肺炎球菌等の呼吸器病原菌にたいしても静菌作用があることから、口腔細菌を含んだ食物により嚥下性肺炎を引き起こすことを防止する。
そして、甘味感、清涼感があることから患者が摂取しやすい。
また、氷であることからアイスマッサージによる寒冷刺激作用があり、効果的に嚥下反射促進を促すことが出来る。
氷には、キシリトールに加えてゼラチンを配合すると、アイス形態付与性及び口触り感が向上する。
また、この嚥下機能向上訓練用食品のパッケージ（包装形態）を、一食分単位（一口サイズ）とすると取り扱いやすい。
【発明を実施するための最良の形態】
【０００６】
キシリトール約１０〜５０％及びゼラチン約１〜１０％配合した水を入れたパッケージを家庭用の冷凍庫に入れ凍結した。
凍結した嚥下機能向上訓練用食品のパッケージを開封し、一食分約２０ｍｌ程度の氷の塊を、嚥下障害患者５名に初期直接訓練用食物として、摂取させたところ、多くの患者がキシリトールの甘味感と、清涼感及びゼラチンの滑らかさのため好んで摂取した。
そして、患者がこの氷を摂取することにより口腔の自浄性が向上することを確認できた。
また、誤嚥による肺炎は発生せず、２週間の使用で嚥下機能の向上が見られた患者もいたことから、この氷が嚥下機能向上の初期直接訓練用食物として非常に有効であることを確認できた。
(57)【要約】【課題】パンツ型紙おむつと吸収体とのテープ接着によるめくれ、及び皮膚への接着を確実に防止し、吸収体の後処理を容易にする。【解決手段】パンツ型紙おむつ本体の前部縁部及び後部縁部両側に吸収体を互いに固着、接着し一体化されている。その固着部の縁部の非固着部をミシン目等によりパンツ型紙おむつ本体より容易に着脱可能とすることを特徴とする。【選択図】図１
2005323983.tif 000002
【特許請求の範囲】
【請求項１】
パンツ型紙おむつ本体に吸収体を固着、接着し一体化することにより、めくれ、ずれ等を防止できるようにした。
【請求項２】
吸収体を本体の前部縁部及び後部縁部との両側に固着し、その部分をミシン目等により、着脱可能とすることにより排尿後の後処理を容易にし、吸収体処理後の本体を継続して、使用できるようにした。
【発明の詳細な説明】
【発明の詳細な説明】
【発明の属する技術的分野】
【０００１】  本発明は、パンツ型紙おむつ本体の内側に吸収体を部分的に本体に固着させ、使用部分を非接着とし、容易にとりはずせるようにしたもので、容易な後処理を可能としたものである。
【背景技術】
【０００２】  従来は、吸収体をテープで接着固定させ、使用していたため、人体への使用時、動作時に吸収体のめくれや皮膚への接着等により使用しずらい面があった。
【発明の実体の形態】
【０００３】  本発明は人体の動作時に短時間で、容易に１枚目の吸収体を切り離し、取り外すことができ、容易な後処理が可能である。
【発明の効果】
【０００４】  このようにすれば、吸収体接着時におけるテープ等での固着時によるずれ、めくれが防止でき、又着脱等が容易になり、本体のパンツ型紙おむつの継続使用が簡単にできるので便利である。
【図面の簡単な説明】
【図１】  パンツ型紙おむつと吸収体の固着時の斜視図である。
【図２】  吸収体の平面図である。
【符号の説明】
１．固着部
２．ミシン目
【図１】
2005323983.tif 000003
【図２】
2005323983.tif 000004
(57)【要約】【課題】ベッド上の就寝時の姿勢から食事、又は勉強や娯楽の場として簡単に切り替え可能な多機能ベッドで、このベッドに四方を壁板で囲み天井板と床板を設ければ小さな個室の中の多機能ベッドとなり、ベッド内で簡単にテーブル付きの正座姿勢で効率の良い居住環境を提供する。【解決手段】ベッド足側に壁板（１〜３）を設け、その壁板（１）（３）にＬ型回動支持具を取り付けた開閉テーブル板（４）を設ける。又マット中央の骨組（８）に分離可能な開閉装置を設ける。この多機能ベッドを小さな個室の中へ入れ、電化製品等を取り入れる。【選択図】    図１
2005323986.tif 000002
【特許請求の範囲】
【請求項１】
開閉テーブル板（４）にＬ型回動支持具（６）を設けた多機能ベッド。
【請求項２】
マット中央部の骨組（８）が電動モーター（９）により床下へ直角以上屈折できて復元も可能な請求項１の多機能ベッド。
【発明の詳細な説明】
【発明の詳細な説明】
【技術分野】
【０００１】この発明は、就寝時のベッドから書斎や食卓に切換え機能を備えた多機能ベッドに関するものである。
【背景技術】
【０００２】従来、ベッド上では主として就寝、食事、読書等の場として利用していた。
【発明が解決しようとする課題】
【０００３】  そのために、次のような欠点があった。
（イ）ベッド上では読書や食事などはベッド床下に足が着けず不安定で正しい姿勢ができず疲れやすい。
（ロ）ベッド上では座右に必要な日用品などを置くのに制限が多い。
本発明はこれらの欠点を解消し、ベッド上の場を快適にしたもの。
【課題を解決するための手段】
【０００４】  ベッド足側に壁板（１〜３）を設け、壁板（１）（３）の内面に棚板（５）と開閉テーブル板（４）を設ける。又、マット中央部の骨組（８）を分離可能な開閉機能を設ける。
本発明は、以上の構成からなる多機能ベッドである。
【発明を実施するための最良の形態】
【０００５】  以下、本発明の実施の形態について説明する。
（イ）ベッド足側の際に壁板（１、２、３）を設け、壁板（１、３）の内側に棚板（５）と開閉テーブル板（４）を設ける。普段の開閉テーブル板（４）は棚板（５）を隠す様に閉じた扉でもある。
（ロ）開閉テーブル板（４）の最下部の高さは、閉じた状態で下の棚板（５）の最下部とほぼ同じである。開閉テーブル板（４）が水平に開いた時の高さはＬ型回動支持具（６）の作用のために、足を床に着けた正座状態で膝上に程好い低い位置に移動させている。
（ハ）多機能ベッドの周囲に天井板と床板と四方を囲む壁板にドア−（１２）を設けると個室の中の多機能ベッドになり医療や介護用個室にもなる。又、医療用等では当個室からベッドのみ引出し分離する事も可能である。個室に屋根等を設けると屋外用の勉強室や守衛室にも変貌する。
本発明は以上のような構造でこれを使用するときはベッド上で就寝姿勢から上半身を起して、掛布団を足元の隅へ置き、手元のスイッチで電動モーター（９）によりマット中央部の骨組（８）を床下へ屈折させ、空間をあける。両足を床板に乗せて座り、閉じた開閉テーブル板（４）を開ければ棚付テーブルが備わった正座姿勢となる。
【発明の効果】
【０００６】  使用中のベッドで簡単に食卓や書斎等に切替え出来る。ベッド内で足が床に着くので姿勢が良く、疲れにくい。
個室の中の多機能ベッドの場合では、照明やエアコンの省エネと空気清浄も効果的である。カラオケ等の騒音が減小できる。外部からの明るさや騒音も和らげ眠り易い。病院や老人ホームの大部屋ではプライバシーが守り易い。又、天井板の上を広い収納スペースとして利用できる。個室の構造を丈夫にすれば地震対策になる。
【図面の簡単な説明】
【図１】本発明の斜視図
【図２】本発明の正面図
【図３】本発明の部分拡大図
【図４】本発明の部分断面図
【符号の説明】
（１）    左側壁板
（２）    正面壁板
（３）    右側壁板
（４）    開閉テーブル板
（５）    棚板
（６）    Ｌ型回動支持具
（７）    ベルト
（８）    マット中央部の骨組
（９）    電動モーター
（１０）  マット
（１１）  敷布団
（１２）  ドア−
（１３）  ベッド台
（１４）  滑車
（１５）  開閉時のストッパーワイヤー
（１６）  錘
（１７）  Ｌ型回動支持軸
【図１】
2005323986.tif 000003
【図２】
2005323986.tif 000004
【図３】
2005323986.tif 000005
【図４】
2005323986.tif 000006
(57)【要約】      （修正有）【課題】正座した時の足のしびれを和らげるため空気による携帯用エアー座椅子を提供する。座椅子に正座用と横座り用の２種類がある。【解決手段】座椅子に携帯用空気入れで空気を入れて使用する。座椅子全体が袋状になっていて、内側の袋の材質はゴム製品で空気が入る様になっている。空気の注入口に虫ゴム仕様の逆止弁が付いている。又、外側の袋は伸縮の少ない布製品又は皮製品を使用してあり、座椅子の形状を保つ働きを持たせてある。以上の３点が一体となって機能する事によって完成品となる。【選択図】図２
2005323984.tif 000002
【特許請求の範囲】
【請求項１】
エアー座椅子は携帯用小型空気入れで空気を入れて使用する様になっていて、座椅子全体が袋状になっている。又、その袋が多重構造になっている。
特徴として
一番目には内側の袋はゴム製品で出来ていて空気が入る様になっている。
二番目には内側のゴムの袋に空気を入れる注入口に入れた空気が逆もどりしない様に、虫ゴム仕様の逆止弁が付けてある。
三番目には内側のゴムの袋に被せてある外側の袋は伸縮の少ない例えば布製品、皮製品、化学製品等を使用している。外側の袋の機能は内側の袋に空気を入れて座椅子自体に圧力が加えられても、座椅子としての形状を保つ働きを持たせてある。
以上の三点が一体となって機能する事によってエアー座椅子としての完成品となる。
【請求項２】
この座椅子は正座用座椅子と横座り用座椅子の２種類あるが共に構造、材質、機能は全て同じで座椅子全体の形状のみ異なる。
【発明の詳細な説明】
【発明の詳細な説明】
【発明が解決しようとする課題】
【０００１】空気による座椅子は市販されていないので発明しました。
この座椅子は正座をした際に足のしびれを軽くするために正座用座椅子と横座り用座椅子を発明したい。
座椅子を携帯できる様に軽くコンパクトにしたい。
座椅子を使用した際にタタミ、ジュータン等にキズを付けたり座椅子のあとが残らない様にしたい。
【課題を解決するための手段】
【０００２】座椅子を袋状にして空気を注入した。空気を入れた座椅子にする事によってタタミ、ジュータン等にキズ、又座椅子のあとが残らない。
座椅子の空気を抜く事で座椅子が小さく折たたむ事が出来て携帯できる。座椅子の形状も正座用と横座り用があり座り方に合せて使用できる。
正座用と横座り用も座椅子の構造、材質、機能は同じで形状のみ違いがある。
【発明の使用方法】
【０００３】座椅子の空気圧力を出すため、小さい携帯用の空気入れで座椅子に空気を入れて使用する。空気を入れる事によって正座用、横座り用座椅子の形状が出来上がる。
正座用座椅子は正座した両足の間に座椅子を入れ座椅子が尻の下になる様に置いて使用する。
横座り用の座椅子は正座をして横（右又は左）に足をくずした状態にして、足のくずした反対側の尻の部分に座椅子を置いて使用する。
【図面の簡単な説明】
【図１】    正座用エアー座椅子の図
【図２】    横座り用エアー座椅子の図
【符号の説明】
１．虫ゴム仕様の逆止弁と空気の注入口
２．外側の袋に付けてある脱着の際のチャック
【図１】
2005323984.tif 000003
【図２】
2005323984.tif 000004